【手続補正書】
【提出日】平成17年1月18日(2005.1.18)
【手続補正１】
【補正対象書類名】明細書
【補正対象項目名】発明の名称
【補正方法】変更
【補正の内容】
【発明の名称】光学式記録媒体、記録装置、記録方法及び光学式記録媒体の製造方法
【手続補正２】
【補正対象書類名】明細書
【補正対象項目名】特許請求の範囲
【補正方法】変更
【補正の内容】
【特許請求の範囲】
【請求項１】
情報データがトラックに予め記録された光学式記録媒体であって、
前記情報データに対する誤り訂正の単位となる単位ブロック領域と、
隣接する前記単位ブロック領域間の境界部に挿入されたリンキング領域と、を備え、
前記リンキング領域に記録されているリンキングデータはスクランブルされていることを特徴とする光学式記録媒体。
【請求項２】
前記リンキングデータは、アドレス情報に基づいてスクランブルされていることを特徴とする請求項１記載の光学式記録媒体。
【請求項３】
前記アドレス情報は、前記リンキング領域に隣接する前記単位ブロック領域のアドレス情報であることを特徴とする請求項２記載の光学式記録媒体。
【請求項４】
情報データがトラックに予め記録された光学式記録媒体であって、
前記情報データに対する誤り訂正の単位となる単位ブロック領域と、
隣接する前記単位ブロック領域間の境界部に挿入されたリンキング領域と、を備え、
前記リンキング領域に記録されているリンキングデータは、アドレス情報を初期値とする乱数であることを特徴とする光学式記録媒体。
【請求項５】
前記リンキングデータは、アドレス情報を初期値とする乱数と、所定のデータとの排他的論理和であることを特徴とする請求項４記載の光学式記録媒体。
【請求項６】
前記アドレス情報は、前記リンキング領域に隣接する前記単位ブロック領域のアドレス情報であることを特徴とする請求項４記載の光学式記録媒体。
【請求項７】
情報データがトラックに予め記録された光学式記録媒体であって、
前記情報データに対する誤り訂正の単位となる単位ブロック領域と、
隣接する前記単位ブロック領域間の境界部に挿入されたリンキング領域と、を備え、
前記リンキング領域に記録されているリンキングデータは、アドレス情報を初期値としてビットシフトされたデータであることを特徴とする光学式記録媒体。
【請求項８】
前記リンキングデータは、アドレス情報を初期値としてビットシフトされたデータと、所定のデータとの排他的論理和であることを特徴とする請求項７記載の光学式記録媒体。
【請求項９】
前記アドレス情報は、前記リンキング領域に隣接する前記単位ブロック領域のアドレス情報であることを特徴とする請求項７記載の光学式記録媒体。
【請求項１０】
光学式記録媒体のトラック上に情報データを記録する記録装置であって、
前記情報データに対する誤り訂正の単位となる単位ブロック領域を前記トラックに形成する単位ブロック記録手段と、
前記単位ブロック領域間の境界部にリンキング領域を挿入形成するリンキングデータ記録手段と、を備え、
前記リンキングデータ記録手段は、所定のデータをスクランブルして生成したリンキングデータを前記リンキング領域に記録することを特徴とする記録装置。
【請求項１１】
光学式記録媒体のトラック上に情報データを記録する記録装置であって、
前記情報データに対する誤り訂正の単位となる単位ブロック領域を前記トラックに形成する単位ブロック記録手段と、
前記単位ブロック領域間の境界部にリンキング領域を挿入形成するリンキングデータ記録手段と、を備え、
前記リンキングデータ記録手段は、アドレス情報を初期値とする乱数であるリンキングデータを前記リンキング領域に記録することを特徴とする記録装置。
【請求項１２】
光学式記録媒体のトラック上に情報データを記録する記録装置であって、
前記情報データに対する誤り訂正の単位となる単位ブロック領域を前記トラックに形成する単位ブロック記録手段と、
前記単位ブロック領域間の境界部にリンキング領域を挿入形成するリンキングデータ記録手段と、を備え、
前記リンキングデータ記録手段は、アドレス情報を初期値としてビットシフトされたデータであるリンキングデータを前記リンキング領域に記録することを特徴とする記録装置。
【請求項１３】
光学式記録媒体のトラック上に情報データを記録する記録方法であって、
前記情報データに対する誤り訂正の単位となる単位ブロック領域を前記トラックに形成し、
前記単位ブロック領域間の境界部にリンキング領域を挿入形成し、
所定のデータをスクランブルして生成したリンキングデータを前記リンキング領域に記録することを特徴とする記録方法。
【請求項１４】
光学式記録媒体のトラック上に情報データを記録する記録方法であって、
前記情報データに対する誤り訂正の単位となる単位ブロック領域を前記トラックに形成し、
前記単位ブロック領域間の境界部にリンキング領域を挿入形成し、
アドレス情報を初期値とする乱数であるリンキングデータを前記リンキング領域に記録することを特徴とする記録方法。
【請求項１５】
光学式記録媒体のトラック上に情報データを記録する記録方法であって、
前記情報データに対する誤り訂正の単位となる単位ブロック領域を前記トラックに形成し、
前記単位ブロック領域間の境界部にリンキング領域を挿入形成し、
アドレス情報を初期値としてビットシフトされたデータであるリンキングデータを前記リンキング領域に記録することを特徴とする記録方法。
【請求項１６】
トラック上に情報データが記録された光学式記録媒体の製造方法であって、
前記情報データに対する誤り訂正の単位となる単位ブロック領域を前記トラックに形成し、
前記単位ブロック領域間の境界部にリンキング領域を挿入形成し、
所定のデータをスクランブルして生成したリンキングデータを前記リンキング領域に記録することを特徴とする光学式記録媒体の製造方法。
【請求項１７】
トラック上に情報データが記録された光学式記録媒体の製造方法であって、
前記情報データに対する誤り訂正の単位となる単位ブロック領域を前記トラックに形成し、
前記単位ブロック領域間の境界部にリンキング領域を挿入形成し、
アドレス情報を初期値とする乱数であるリンキングデータを前記リンキング領域に記録することを特徴とする光学式記録媒体の製造方法。
【請求項１８】
トラック上に情報データが記録された光学式記録媒体の製造方法であって、
前記情報データに対する誤り訂正の単位となる単位ブロック領域を前記トラックに形成し、
前記単位ブロック領域間の境界部にリンキング領域を挿入形成し、
アドレス情報を初期値としてビットシフトされたデータであるリンキングデータを前記リンキング領域に記録することを特徴とする光学式記録媒体の製造方法。
【手続補正３】
【補正対象書類名】明細書
【補正対象項目名】０００１
【補正方法】変更
【補正の内容】
【０００１】
【発明が属する技術分野】
本発明は、光学式記録媒体及びその記録媒体を作成するための記録装置、記録方法、製造方法に関する。
【手続補正４】
【補正対象書類名】明細書
【補正対象項目名】０００３
【補正方法】変更
【補正の内容】
【０００３】
【発明が解決しようとする課題】
しかしながら、このように書き込み可能な記録媒体にリンキング領域ができることは、ＤＶＤ−ＲＯＭのような書き込みができない再生専用の記録媒体との記録フォーマット上の互換性が取れなくなる可能性があるという問題点があった。
そこで、本発明の目的は、書き込み可能な光学式記録媒体と記録フォーマット上の互換性を持つことができる再生専用の光学式記録媒体及びその記録装置、記録方法、製造方法を提供することである。
【手続補正５】
【補正対象書類名】明細書
【補正対象項目名】０００４
【補正方法】変更
【補正の内容】
【０００４】
【課題を解決するための手段】
請求項１に係る発明の光学式記録媒体は、情報データがトラックに予め記録された光学式記録媒体であって、前記情報データに対する誤り訂正の単位となる単位ブロック領域と、隣接する前記単位ブロック領域間の境界部に挿入されたリンキング領域と、を備え、前記リンキング領域に記録されているリンキングデータはスクランブルされていることを特徴としている。
請求項４に係る発明の光学式記録媒体は、情報データがトラックに予め記録された光学式記録媒体であって、前記情報データに対する誤り訂正の単位となる単位ブロック領域と、隣接する前記単位ブロック領域間の境界部に挿入されたリンキング領域と、を備え、前記リンキング領域に記録されているリンキングデータは、アドレス情報を初期値とする乱数であることを特徴としている。
請求項７に係る発明の光学式記録媒体は、情報データがトラックに予め記録された光学式記録媒体であって、前記情報データに対する誤り訂正の単位となる単位ブロック領域と、隣接する前記単位ブロック領域間の境界部に挿入されたリンキング領域と、を備え、前記リンキング領域に記録されているリンキングデータは、アドレス情報を初期値としてビットシフトされたデータであることを特徴としている。
【手続補正６】
【補正対象書類名】明細書
【補正対象項目名】０００５
【補正方法】変更
【補正の内容】
【０００５】
請求項１０に係る発明の記録装置は、光学式記録媒体のトラック上に情報データを記録する記録装置であって、前記情報データに対する誤り訂正の単位となる単位ブロック領域を前記トラックに形成する単位ブロック記録手段と、前記単位ブロック領域間の境界部にリンキング領域を挿入形成するリンキングデータ記録手段と、を備え、前記リンキングデータ記録手段は、所定のデータをスクランブルして生成したリンキングデータを前記リンキング領域に記録することを特徴としている。
請求項１１に係る発明の記録装置は、光学式記録媒体のトラック上に情報データを記録する記録装置であって、前記情報データに対する誤り訂正の単位となる単位ブロック領域を前記トラックに形成する単位ブロック記録手段と、前記単位ブロック領域間の境界部にリンキング領域を挿入形成するリンキングデータ記録手段と、を備え、前記リンキングデータ記録手段は、アドレス情報を初期値とする乱数であるリンキングデータを前記リンキング領域に記録することを特徴としている。
請求項１２に係る発明の記録装置は、光学式記録媒体のトラック上に情報データを記録する記録装置であって、前記情報データに対する誤り訂正の単位となる単位ブロック領域を前記トラックに形成する単位ブロック記録手段と、前記単位ブロック領域間の境界部にリンキング領域を挿入形成するリンキングデータ記録手段と、を備え、前記リンキングデータ記録手段は、アドレス情報を初期値としてビットシフトされたデータであるリンキングデータを前記リンキング領域に記録することを特徴としている。
【手続補正７】
【補正対象書類名】明細書
【補正対象項目名】０００６
【補正方法】変更
【補正の内容】
【０００６】
請求項１３に係る発明の記録方法は、光学式記録媒体のトラック上に情報データを記録する記録方法であって、前記情報データに対する誤り訂正の単位となる単位ブロック領域を前記トラックに形成し、前記単位ブロック領域間の境界部にリンキング領域を挿入形成し、所定のデータをスクランブルして生成したリンキングデータを前記リンキング領域に記録することを特徴としている。
請求項１４に係る発明の記録方法は、光学式記録媒体のトラック上に情報データを記録する記録方法であって、前記情報データに対する誤り訂正の単位となる単位ブロック領域を前記トラックに形成し、前記単位ブロック領域間の境界部にリンキング領域を挿入形成し、アドレス情報を初期値とする乱数であるリンキングデータを前記リンキング領域に記録することを特徴としている。
請求項１５に係る発明の記録方法は、光学式記録媒体のトラック上に情報データを記録する記録方法であって、前記情報データに対する誤り訂正の単位となる単位ブロック領域を前記トラックに形成し、前記単位ブロック領域間の境界部にリンキング領域を挿入形成し、アドレス情報を初期値としてビットシフトされたデータであるリンキングデータを前記リンキング領域に記録することを特徴としている。
請求項１６に係る発明の光学式記録媒体の製造方法は、トラック上に情報データが記録された光学式記録媒体の製造方法であって、前記情報データに対する誤り訂正の単位となる単位ブロック領域を前記トラックに形成し、前記単位ブロック領域間の境界部にリンキング領域を挿入形成し、所定のデータをスクランブルして生成したリンキングデータを前記リンキング領域に記録することを特徴としている。
請求項１７に係る発明の光学式記録媒体の製造方法は、トラック上に情報データが記録された光学式記録媒体の製造方法であって、前記情報データに対する誤り訂正の単位となる単位ブロック領域を前記トラックに形成し、前記単位ブロック領域間の境界部にリンキング領域を挿入形成し、アドレス情報を初期値とする乱数であるリンキングデータを前記リンキング領域に記録することを特徴としている。
請求項１８に係る発明の光学式記録媒体の製造方法は、トラック上に情報データが記録された光学式記録媒体の製造方法であって、前記情報データに対する誤り訂正の単位となる単位ブロック領域を前記トラックに形成し、前記単位ブロック領域間の境界部にリンキング領域を挿入形成し、アドレス情報を初期値としてビットシフトされたデータであるリンキングデータを前記リンキング領域に記録することを特徴としている。